Podtech/llm-jp-corpus-v4-ja_patent huggingface dataset:
(57)【要約】      （修正有）【課題】非接触型ＩＣチップ（ＲＦＩＤ）や電子タグ等の個体識別管理器具を生物に取り付けるための安価な器具をていきょうする。【解決手段】低価格な汎用品の結束バンド１にＲＦＩＤや電子タグ又はバーコード等の模様等のを付着または挿入させ個体識別管理器具２とし、生物に取り付ける。また、結束バンドを使用する際、前以て生物の生長を予測し、結束バンドの締め付け内径の大きさを決め、チューブ３、又は添え板、又はシール等を付帯させることにより、内径の調整が容易に可能となる。更に、個体識別管理器具を回収する際、結束バンドの内径調整により作られる空間は刃物等の使用を容易にし、回収作業軽減に効果をもたらす。【選択図】図２
2007000004.tif 000002
【特許請求の範囲】
【請求項１】
非接触型ＩＣチップ（ＲＦＩＤ）や電子タグ等の個体識別管理器具を生物に装着する際、結束バンドを使用すること。
【請求項２】
請求項１において、結束バンドの結束後の内径を調整する目的で、チューブ、又は添え板、又はシール、又はフイルム等を付帯させること。
【請求項３】
請求項１において、チューブ、添え板、シール等で非接触型ＩＣチップ（ＲＦＩＤ）や電子タグ等の個体識別管理器具を挟む又は包み込み付帯させること。
【請求項４】
請求項１において、結束バンドに、生物が噛むのを防ぐ為の忌避剤や被結束生体と結束バンドとの接触部分の親和を目的として薬剤等を塗布する、又は塗り込む等の加工をすること。
【請求項５】
結束バンドに模様、番号、記号、文字等を記入し生体の個体識別管理を行うこと。
【発明の詳細な説明】
【技術分野】
【０００１】この発明は、生物の個体管理及び生産履歴及び流通履歴に関する。
【背景技術】
【０００２】非接触型ＩＣチップ（ＲＦＩＤ）や電子タグ等の個体識別管理器具を生物に取り付け、その流通履歴、生産履歴の管理に用いることが情報管理上、重要性を増している。
【発明の開示】
【発明が解決しようとする課題】
【０００３】しかしながら、以上の従来技術によれば、ＲＦＩＤ等の個体識別管理器具を生物に取り付けるには専用の加工や器具が必要で、結果として、ＲＦＩＤ等の個体識別管理器具使用は高価格になってしまった。
【課題を解決するための手段】
【０００４】本発明は、汎用品で低価格な結束バンドそのものにＲＦＩＤや電子タグ又はバーコード等の模様等を付着または挿入させ個体識別管理器具とする。結束バンドを取り付け器具として、ＲＦＩＤや電子タグ又はバーコード等の模様等を生物に取り付けることにより、安価で取り扱いの容易な個体識別管理器具の提供に寄与する。生物は生長するため、結束バンドを使用する際、前以て生物の生長を予測し、結束バンドの締め付け内径の大きさを決める。その際結束バンドの結束後の内径を調整する目的で、チューブ、又は添え板、又はシール等を付帯させる。
【発明の効果】
【０００５】上述したように、本発明により、生物の個体識別管理器具として結束バンド利用、又は個体識別管理器具の取り付け器具として結束バンドを利用することにより、汎用品利用による低価格で安定した個体識別管理器具提供に効果がある。【０００６】生物から個体識別管理器具を回収する際、結束バンドの内径調整により作られる空間は刃物等の使用を容易にし、回収の際、作業軽減に効果をもたらす。
【発明を実施するための最良の形態】
【０００７】以下、本発明の一実施形態を、図２に基づいて説明する。【０００８】図において、非接触型ＩＣチップ（ＲＦＩＤ）のマイクロチップ２を個体識別管理器具として結束バンド１に取り付ける際、透明チューブ３を内径調整器具及び取り付け器具として用いる。その際、チューブの長短調整により結束後の内径４（図４）を調節できる。これにより成長を伴う生物に対し、その成長速度に合った内径を保持することができる。【０００９】内径調整器具及び取り付け器具としての透明チューブは、添え板、シール、フイルム等でも良い。
【図面の簡単な説明】
【００１０】
【図１】本発明の構成部材例
【図２】本発明の一実施形態（結束前）
【図３】内径調整が難しい本発明を使用しない実施形態
【図４】本発明の一実施形態（結束後）
【符号の説明】
【００１１】１  結束バンド
２  個体識別管理器具（ＲＦＩＤ，マイクロチップ）
３  透明チューブ
４  内径
【図１】
2007000004.tif 000003
【図２】
2007000004.tif 000004
【図３】
2007000004.tif 000005
【図４】
2007000004.tif 000006
(57)【要約】【課題】  従来の餌撒き籠では、撤き餌籠から大量の餌が撒き散らされて水底又は海底が汚染されるという問題がある。【解決手段】  透明板１の間に、エレクトロルミネッセンスで小魚２を形成し、この小魚２の輪郭に沿って透明電極（図示せず）を形成したエレクトロルミネッセンスパネル３構成し、このエレクトロルミネッセンスパネル３と一体に防水構造に制御装置４を構成し、制御装置４にエレクトロルミネッセンス駆動機能５ａを設けたＣＰＵ５及び電源６を装着し、エレクトロルミネッセンスで構成した小魚２の電極を制御装置４のＣＰＵ５の駆動機能５ａに接続して、電子疑似餌７を構成し、この電子疑似餌７に接続具８を回転可能に装着されている。【選択図】図１
2007000092.tif 000002
【特許請求の範囲】
【請求項１】
小魚を形成したエレクトロルミネッセンスを透明電極で挟持して透明板の間に装着し、前記エレクトロルミネッセンスの透明電極に電圧を印加して、該透明板の両面から小魚が発光されるように構成したエレクトロルミネッセンスパネルと、メモリ、ＣＰＵ、エレクトロルミネッセンス駆動回路及び電源を内蔵する制御装置とからなり、前記エレクトロルミネッセンスパネルを前記制御装置に防水構造で回路接続することを特徴とする電子疑似餌。
【請求項２】
前記小魚を形成したエレクトロルミネッセンスの代わりに海老を形成したエレクトロルミネッセンスを前記透明板の間に構成することを特徴とする請求項１記載の電子疑似餌。
【請求項３】
前記小魚を形成したエレクトロルミネッセンスと海老を形成したエレクトロルミネッセンスを前記透明板の間に構成することを特徴とする請求項１記載の電子疑似餌。
【発明の詳細な説明】
【技術分野】
【０００１】
本発明は、透明板の間にエレクトロルミネッセンスで構成した小魚又は海老等を挟持して、魚群を集めるようにした電子疑似餌に関するものである。
【背景技術】
【０００２】
従来、釣りをするときに、魚を集めるために、図３に示すように、釣り竿に接続されるテグスを接続する連結具２を円筒体１の上面に固着し、円筒体１の側面の餌いれ口３に網状の蓋４を装着し、円筒体１の餌いれ口３から餌をいれて網状の蓋４で閉じるようにした餌撒き籠５が提案されている。
【０００３】
しかしながら、このように構成された従来の餌撒き籠５は、魚がいない状態でも、大量の餌が撒き散らされ、又、魚が食べる量よりも大量の餌が撒き散らされるために、海底が非常に汚染されるという問題がある。
【特許文献１】特願２０００−２７９０８０
【発明の開示】
【発明が解決しようとする課題】
【０００４】
解決しようとする問題点は、従来の餌撒き籠では、撤き餌籠から大量の餌が撒き散らされて水底又は海底が汚染されるという問題がある。
【課題を解決するための手段】
【０００５】
本発明では、エレクトロルミネッセンスパネルは小魚又は海老等を形成したエレクトロルミネッセンスを透明電極で挟持して透明板の間に装着し、このエレクトロルミネッセンスの透明電極に電圧を印加して、該透明板の両面から小魚又は海老等が発光されるように構成し、制御装置はメモリ、ＣＰＵ、エレクトロルミネッセンス駆動回路及び電源を内蔵してなり、エレクトロルミネッセンスパネルを制御装置に防水構造で回路接続するものである。
【発明の効果】
【０００６】
本発明の電子疑似餌では、釣竿に付けたテグスの端部に釣り針を装着し、この釣り針の近傍に電子疑似餌を吊り下げる事により、水中又は海中にいる魚が電子疑似餌に表示された小魚又は海老等を見て集まるので、この集まった魚を釣り針で引っかけて釣ることができるので、撤き餌を必要とせず、水底又は海底が汚れないという利点がある。
【発明を実施するための最良の形態】
【０００７】
本発明では、魚を集める電子疑似餌を、エレクトロルミネッセンスパネルを用いて、電圧をかけることによって発光する小魚又は海老等を表示することにより実施することができた。
【実施例】
【０００８】
図１は本発明の実施例の電子疑似餌の正面図で、透明板１の間に、エレクトロルミネッセンスで小魚２を形成し、この小魚２の輪郭に沿って透明電極（図示せず）を形成したエレクトロルミネッセンスパネル３構成し、このエレクトロルミネッセンスパネル３と一体に防水構造に制御装置４を構成し、制御装置４にエレクトロルミネッセンス駆動機能５ａを設けたＣＰＵ５及び電源６を装着し、エレクトロルミネッセンスで構成した小魚２の電極を制御装置４のＣＰＵ５の駆動機能５ａに接続して、電子疑似餌７を構成し、この電子疑似餌７に接続具８を回転可能に装着されている。
【０００９】
このように構成された本実施例の電子疑似餌では、図２に示すように、制御装置４のＣＰＵ５の駆動機能５ａを駆動して、疑似餌７のエレクトロルミネッセンスパネル３に小魚２を表示し、船９の上に乗った釣り人１０が抱える釣り竿１１に取り付けたテグス１２に疑似餌７の接続具８を接続し、テグス１２に釣り針１３を装着して海中に入れると、この疑似餌７の周囲に魚が群がり、この群がった魚を疑似餌７の下に装着した釣り針１３により釣ることができ、又、この疑似餌７からは撤き餌が放出されないので、水中又は海中を汚染することがないという利点がある。
【産業上の利用可能性】
【００１０】
なお、上記実施例では、上記実施例では、疑似餌７のエレクトロルミネッセンスパネル３にエレクトロルミネッセンスの小魚２を形成したが、エレクトロルミネッセンスで形成した海老をエレクトロルミネッセンスパネル３のエレクトロルミネッセンスの小魚２の下に形成し、制御装置４にスイッチを付けて、エレクトロルミネッセンスの小魚２とエレクトロルミネッセンスの海老を別に表示したり、同時に表示することにより、さらに、水中又は海中の魚を寄せ付けることができる。
【図面の簡単な説明】
【００１１】
【図１】本発明の実施例の電子疑似餌の正面図である。
【図２】本発明の実施例の電子疑似餌の使用状態を示した図である。
【図３】従来の撤き餌籠の斜視図である。
【符号の説明】
【００１２】
１                透明板
２                エレクトロルミネッセンスの小魚
３                エレクトロルミネッセンスパネル
４                制御装置
５                ＣＰＵ
６                電源
７                疑似餌
８                接続具
【図１】
2007000092.tif 000003
【図２】
2007000092.tif 000004
【図３】
2007000092.tif 000005
(57)【要約】【課題】        止まり木や小鳥カゴの上部を取り外さずに金属性のすのこ状の物が容易に取り出せて、ホコリやフンの水洗いが簡単に出来る。掃除がしやすくなる為従来の小鳥カゴより清潔に出来る小鳥カゴ。また現在使われている小鳥カゴの形状をあまり変えずに製作出来る利点があり、価格も変わらない程度になると思われる。【解決手段】        小鳥カゴ本体の引き出し（汚れ受け）を出し入れする空間を金属性のすのこ状の物が引き出せる程度（高さ約５ミリ、幅はすのこ状の物が楽に取り出せる幅）に上方の切り込みを大きくする（図１）。これにより引き出しと本体の間に隙間が出来る為引き出しの手前部分の高さを隙間がなくなる程度（約１センチ）高くする（図２）。【選択図】        図１
2007000133.tif 000002
【特許請求の範囲】
【請求項１】
小鳥カゴ本体の下部に置かれている金属性のすのこ状の物が、簡単に取り出せるように小鳥カゴ本体に図１の切り込みを作り、すのこ状の物が容易に取り出せて清潔にできる掃除しやすい小鳥カゴ。
【請求項２】
小鳥カゴ本体の下部に置かれている金属性のすのこ状の物が、簡単に取り出せるように小鳥カゴ本体に図１の切り込みを作る事により引き出しと小鳥カゴ本体の間に隙間が出来る。隙間をふさぐ為に引き出しの手前部分の高さを隙間がふさがる程度高くする（図２）。
【発明の詳細な説明】
【発明の詳細な説明】
【技術分野】
【０００１】        この発明は、小鳥カゴの下部にある金属性のすのこ状の物が、簡単に取り出せるように小鳥カゴ本体に図１の切り込みを入れる。これにより金属性のすのこ状の物が簡単に取り出せ汚れを洗い流しやすくなり、簡単に清潔に出来る小鳥カゴである。
【背景技術】
【０００２】        従来の小鳥カゴは下部にある金属性のすのこ状の物を取り出すには止まり木を取り外し、小鳥カゴの上部も取り外さないと取り出す事が出来なかった。
【発明が解決しようとする課題】
【０００３】        今までの小鳥カゴは、汚れ受けの引き出しに敷く新聞などを取り替えても小さなホコリや羽根がたまり健康上あまり良くなかった。金属性のすのこ状の物にも小鳥のフンがたまりやすく出来れば頻繁にすのこ状の物を水洗いしたい。今までの小鳥カゴはすのこ状の物を取り出して掃除するには、止まり木やカゴの上部を取り外さないと出来ないため頻繁に水洗いをするのに不便だった。本発明は、以上のような欠点を解決するためになされたものである。
【課題を解決するための手段】
【０００４】        小鳥カゴ本体の引き出し（汚れ受け）を出し入れする空間の切り込みをすのこ状の物が引き出せる程度（高さ約５ミリ、幅はすのこ状の物が楽に取り出せる幅）上方の切り込みを大きくする（図１）。切り込みを入れる事により引き出しと本体の間に隙間が出来る為、引き出しの手前部分の高さを隙間がなくなる程度（約１センチ）高くする（図２）。これにより止まり木やカゴを外さなくても汚れやフンが溜まる金属性のすのこ状の物は容易に取り外して掃除出来るようになり隙間もふさがる。
【発明を実施するための最良の形態】
【０００５】        小鳥カゴ本体の引き出し（汚れ受け）を出し入れする空間を金属性のすのこ状の物が引き出せる程度（高さ約５ミリ、幅はすのこ状の物が楽に取り出せる幅）に上方の切り込みを大きくする（図１）。これにより引き出しと本体の間に隙間が出来る為引き出しの手前部分の高さを隙間がなくなる程度（約１センチ）高くする（図２）。
【発明の効果】
【０００６】        小鳥カゴの金属性のすのこ状の物が止まり木や小鳥カゴ上部を取り外さずに容易に取り出せて水洗いが簡単に出来ることにより、従来の小鳥カゴより清潔にできる。ペットが飼えないマンションなどでも小鳥なら問題なく、健康上の心配も少なくなり安心して小鳥が飼える。また現在使われている小鳥カゴの形状をあまり変えずに製作出来る利点があり、価格も変わらない程度になると思われる。
【図面の簡単な説明】
【０００７】
【図１】小鳥カゴ全体と切り込み部分の図
【図２】小鳥カゴの引き出し部分の手前を高くした図
【符号の説明】
１．小鳥カゴ全体２．切り込み３．引き出し４．金属性のスノコ状の物５．前面を高くした引き出し６．引出し前面
【図１】
2007000133.tif 000003
【図２】
2007000133.tif 000004
(57)【要約】【課題】  疑似餌釣りおいて、釣果を上げる為の一番難しい技術が、竿先を繊細に振動させ、その振動を釣り糸に伝え、疑似餌を動かすことであるが、自ら竿を操作しなくとも従来通りにリールを巻き上げるだけで竿先を振動させられれば、まったくの釣り初心者でもリールを巻き上げるだけで、疑似餌を動かすことができる。【解決手段】  このフックは、釣竿のリールと、リールに最も近いガイドとの間に設置し、キャスト後に釣り糸を引っ掛けて、リールを巻き上げる時点から機能するフックであり、このフックを設置することによって、従来のリールを巻き上げる際に描かれるガイドと釣り糸の回転軸が大きく変わり、リールを巻き上げると同時に、竿先に振動が発生し、その振動で疑似餌にもその振動が伝わり、疑似餌が動く。【選択図】図３
2007000132.tif 000002
【特許請求の範囲】
【請求項１】
釣り竿のリールと、リールに最も近いガイドとの中間地点よりリールに近い位置に設置するフックで、キャスト後そのフックに釣り糸を引っ掛け、リールを巻き上げる際にリールの回転によってできる釣り糸の回転軸を、そのフックの取り付けにより、あえて不均衡にさせ、リールを巻き上げると同時に自動的に竿先を振動させることを特徴とした、釣竿に設置するフック。
【請求項２】
収縮性のあるバンドに、上記機能のフックを取り付ることによって、取り付け部の竿の直系が異なっても設置及び取り付け位置を移動させることが可能な、疑似餌の釣り針の固定、及び釣竿の結束にも兼用できる特徴を持つバンド付きフック。
【発明の詳細な説明】
【技術分野】  釣りのリールを巻き上げる作業と同時に、釣竿の竿先を振動させるための釣具に関する。
【発明の開示】
【発明が解決しようとする課題】
【０００１】  従来の疑似餌釣りにおいて、疑似餌を操作の為の、竿先の振動のさせ方が、釣り初心者においては釣りの難しい技術であったが、それを解決する為の発明である。
【発明の効果】
【０００２】  このフックの設置によって、リールを巻き上げるという通常の動作だけで、初心者でも竿先を自動的に動かし、疑似餌を動かすことができる。また餌釣りにおいても、釣り糸を巻き上げることは、単に仕掛けの回収という作業であったが、その作業に竿先の振動を加えることによって、死に餌に動きを与えることが出来できる。
【課題を解決するための手段】
【０００３】  釣竿のガイドは、釣り糸を通しながらも、リールと釣り糸との摩擦や抵抗を出来るだけ抑えるように設計されているものであるが、リールと、リールに一番近いガイドとの間に、釣り糸を引っ掛けるフックを設置し、あえて抵抗を作り、リールを回転させるごとに竿先を振動させることを可能とさせ、その振動が釣り糸を伝わり疑似餌を動かすことが可能となる。
【発明を実施するための最良の形態】
【実施例】
【０００４】  フックの内径には、釣竿のガイドと同じような釣り糸との摩擦を出来るだけ少なく出来る加工が施され、竿を製造する際に当初から固定する設置方法はガイドの設置方法と同じ方法で良いが、リールからの振動を受け止めるだけの設置強度が必要となる。請求項２のバンド付きの場合は、収縮性のあるマジックテープにフックを取り付ければ良い。
【産業上の利用可能性】
【０００５】
【図面の簡単な説明】
【図１】  リールの回転により、釣竿の竿先に振動を与える為のフック示した正面図である。
【図２】  リールの回転により、釣竿の竿先に振動を与える為のフックを示した側面図である。
【図３】  リールの回転により、釣竿の竿先に振動を与える為のフックの実施例を示した側面図である。
【図１】
2007000132.tif 000003
【図２】
2007000132.tif 000004
【図３】
2007000132.tif 000005
(57)【要約】      （修正有）【課題】  硬貨などの小物を簡単な方法で携行するについて、特に携行用のバンドなどを作成せずに、従来から腕に装着しているリストバンドを使用し、小物の出し入れが容易なものを提供する。【解決手段】  伸縮性の編織布からなる筒状のリストバンド１の内面にポケット２を設け、このポケット２のポケット口３を覆うフラップ４を取り付け、このフラップ４の両側端縁５をリストバンド１ないしポケット２に縫い付けて固定する。【選択図】  図１
2007000164.tif 000002
【特許請求の範囲】
【請求項１】
伸縮性の編織布からなる筒状のリストバンドにおいて、その内面にポケットを設けたことを特徴とするリストバンド。
【請求項２】
ポケット幅と同等か又は少し大きい幅のフラップをポケット口を覆うように取り付け、このフラップの両側端縁をリストバンドないしポケットに縫い付けて固定した請求項１記載のリストバンド。
【請求項３】
ポケット口にファスナーを取り付けた請求項１記載のリストバンド
【発明の詳細な説明】
【技術分野】
【０００１】
スポーツや戸外作業などの際に手首に装着するリストバンドに関する。
【背景技術】
【０００２】
戸外でスポーツや海水浴をしたり、作業などをするとき、硬貨やキーなどの小物を収容する場所が必要とされることが多い。上着やズボンのポケットがあるが、その他に、収納部を設けて小物を入れたバンドを手首に巻いて携帯することが提案されている（例えば、特許文献１，２）。吸水性の良い編織布を用いるとタオルの携帯に代わり、汗取り用のリストバンドになる（例えば、特許文献３）。
【特許文献１】実開平６−２６５３４号公報
【特許文献２】特開平１０−３３２３７号公報
【特許文献３】特開２０００−１７００１６号公報
【発明の開示】
【発明が解決しようとする課題】
【０００３】
硬貨などの小物を簡単な方法で携行するについて、特に携行用のバンドなどを作成せずに、従来から腕に装着しているリストバンドを使用し、小物の出し入れが容易なものを提供することを課題とする。
【課題を解決するための手段】
【０００４】
本発明は、伸縮性の編織布からなる筒状のリストバンドの内面にポケットを設け、このポケット幅と同等か又は少し大きい幅のフラップをポケット口を覆うように取り付け、このフラップの両側端縁をリストバンドないしポケットに縫い付けて固定したリストバンドである。
【発明の効果】
【０００５】
リストバンドの内面にポケットを設けたので、外観に変化がなく、ポケット口から小物が脱落し難い。リストバンドが伸縮性の編織布からなるので、腕への着脱が容易であり、また、腕に装着したままでもリストバンドを簡単に折り返してその内面にあるポケット部を外側に出すことが出来る。
【発明を実施するための最良の形態】
【０００６】
屋外でスポーツや作業などをしている際に、タオル代わりに汗を拭いたりするために従来から伸縮性編織布のリストバンドが用いられている。本発明はこのリストバンドの内面にポケットを取り付けて硬貨などを携行する機能を付加するものである。以下、図面によって実施例を説明する。
【０００７】
本発明でリストバンドの「内面」とは、腕に装着したリストバンドの外表面以外の部分を指す。即ち、筒状体をそのまま装着した時は肌に接する部分を指し、筒状体を中表（なかおもて）に折り曲げて装着した時は肌に接する部分（図２のＡ）の他に中表部分（図２のＢ、Ｃ）をも指すものとする。
【実施例１】
【０００８】
図１は、伸縮性の筒状リストバンドの内面に取り付けたポケット２の外観図である。説明に必要な部分のみを示している。ポケット２はリストバンドの軸方向に沿って設ける。ポケット口３を除いて縁辺をリストバンドに縫いつけ、ポケット幅と同程度か少し大きめの幅のフラップ４をポケット口３を少し覆うように取り付け、フラップの左右側端縁５をリストバンドないしポケットに縫い付ける。ポケット２及びフラップ４は伸縮性の編織布を用いる。フラップがポケット口を覆い且つその両側端縁が縫い付けられていることにより、更には、腕の肌面に接していることにより、収納物は脱落出来ない。ポケット及びフラップが伸縮性であるから、指により容易にフラップとポケットの口を押し開けて硬貨等の出し入れが出来る。
【実施例２】
【０００９】
図２は、伸縮性の筒状リストバンド１を中表に折り曲げた状態を示す説明用の縦断面図である。中表部分の内面Ｂにリストバンド１の軸方向に沿ってポケットを縫い付けポケット口にはファスナーを取り付ける（図示せず）。
【図面の簡単な説明】
【００１０】
【図１】実施例１のポケットの外観図である。
【図２】中表に折り曲げたリストバンドを示す説明用の縦断面図である。
【符号の説明】
【００１１】
１    リストバンド
２    ポケット
３    ポケット口
４    フラップ
５    フラップの側端縁
【図１】
2007000164.tif 000003
【図２】
2007000164.tif 000004
(57)【要約】      （修正有）【課題】塀の上面に、挟持体で回転自在に挟持した円筒の回転体を設置することで、長期にわたって持続的かつ効果的に、しかも動物愛護や危険性の面から問題なく、また塀の劣化を助長する事なく猫の侵入を防止する装置を提供する。【解決手段】円筒１の両端面２より外方向に突出させた支軸３を設けて回転体とする。また天板４の両側の下面に足部５を対向して垂下させ、天板４の上面に軸受６を直立させ、軸受６に穴７を設けて挟持体とする。挟持体の２個を１対として、１対の挟持体を対向して塀の上面に設置し、挟持体の穴７に回転体の支軸３を挿入する。回転体は、１対の挟持体の中央に挟持されて、回転自在とする。このように装置することで、塀の上から侵入しようとする猫の足や手が回転体に触れることにより、回転体が回転して猫を驚かせて侵入を防ぐ。【選択図】図３
2007000128.tif 000002
【特許請求の範囲】
【請求項１】
円筒の両端面より外方向に突出させた支軸を設けた回転体と、この回転体を塀の上面で回転自在に挟持する一対の挟持体からなり、挟持体は天板の両側に足部を垂下させ上面に軸受を直立させて、軸受に設けたに穴に回転体の支軸を挿入し、侵入しようとする猫の足や手が回転体に触れることにより、回転体が回転して猫の侵入を防ぐ。以上よりなる猫の侵入防止装置。
【発明の詳細な説明】
【技術分野】
【０００１】  本発明は、塀の上面に、挟持体で回転自在に挟持した円筒の回転体を設置し、侵入しようとする猫の足や手が回転体に触れることにより、回転体が回転して猫の侵入を防ぐ装置に関するものである。
【背景技術】
【０００２】  従来、塀の上に水を入れたペットボトルを置いたり、塀にフェンスを取り付けたり、針状の突起を施したシートを設置したり、塀で囲まれた部分全体を網で囲んで猫の侵入を防止していた。
猫の慣れからすぐに効果が無くなったり、ペットボトル設置面が常に濡れた状態になることによりカビや苔が生え、塀の劣化を促すことになったり、危険性を伴うものであったり、動物愛護の面から問題があったりした。
【発明の開示】
【発明が解決しようとする課題】
【０００３】  従って、長期にわたって持続的かつ効果的に、しかも動物愛護や危険性の面から問題なく、また塀の劣化を助長する事なく猫の侵入を防止する決定的な方法はいまだに見つかっていない。本発明は、これらの問題点を解決するために発明されたのである。
【課題を解決するための手段】
【０００４】  円筒の両端面より外方向に突出させた支軸を設けた回転体と、この回転体を塀の上面で回転自在に挟持する一対の挟持体からなる。挟持体は、天板の両側に足部を垂下させ、上面に軸受を直立させる。挟持体の軸受に設けた  穴に、回転体の支軸を挿入する。本発明は以上の構成よりなり、侵入しようとする猫の足や手が、塀の上面で回転体に触れることにより回転体が回転して、猫の侵入を防ぐ。以上よりなる猫の侵入防止装置。
【発明の効果】
【０００５】  猫は塀の上に足を乗せようとすると、回転する円筒があるため、塀の上に乗ることができない。結果として猫は塀を乗り越えて塀の内側に侵入することができないのである。また、塀の上部に直接接する部分が少ないこと（塀に接するのは挟持体のみ）から、塀にカビや苔が生えることはない。更に危険性もなく、動物愛護の点からも何ら問題は見出せない。物理的に塀の上に乗ることが出来ないために猫が慣れるということがなく、侵入防止効果は永久的かつ持続的に続く。
【発明を実施するための最良の形態】
【０００６】  以下本発明の実施形態について説明する。
（イ）円筒（１）の両側の端面（２）の中央に支軸（３）を設け、支軸（３）は水平に外方向へ突出させて、回転体（Ａ）を構成する。
（ロ）挟持体（Ｂ）は、天板（４）の両側の下面に足部（５）を対向して垂下させ、天板（４）の上面に軸受（６）を直立させ、軸受（６）に穴（７）を設ける。
（ハ）挟持体（Ｂ）の２個を１対として、１対の挟持体（Ｂ）を対向して塀（８）の上面に設置し、挟持体（Ｂ）の穴（７）に回転体（Ａ）の支軸（３）を挿入する。
（ニ）回転体（Ａ）は、１対の挟持体（Ｂ）の中央に挟持されて、回転自在とする。
本発明は以上のように構成され、塀（８）の上から侵入しようとする猫の足や手が回転体（Ａ）に触れることにより、回転体（Ａ）が回転して猫を驚かせて侵入を防ぐ。
【実施例１】
【０００７】  本発明品を長い塀に設置する場合、図５のようにしてもよい。
すなわち、天板（４）の両側の下面に足部（５）を対向して垂下させた挟持体の、天板（４）の両側の上面に、穴（７）を設けた軸受（６）を対向して直立させ、この軸受（６）の穴（７）に回転体の支軸（３）を挿入する。
隣の挟持体と重なることなく長い塀に本発明品を設置することが出来る。
【実施例２】
【０００８】  本発明品を幅の広い塀に設置する場合、図６のようにしてもよい。
すなわち、天板（４）の両側の下面に足部（５）を対向して垂下させた挟持体の、天板（４）の上面に、穴（７）を設けた軸受（６）を平行に２個直立させる。この挟持体の２個を１対として、１対の挟持体を対向させ、挟持体の穴（７）に回転体の支軸（３）を挿入する。
塀の幅が広く、回転体から外れた塀の縁部分を足掛かりに猫が侵入するのが防げる。
【実施例３】
【０００９】  本発明品を幅の広く長い塀に設置する場合、図７のようにしてもよい。
すなわち、天板（４）の両側の下面に足部（５）を対向して垂下させた挟持体の、天板（４）の両側の上面に、穴（７）を設けた軸受（６）を対向して直立させ、これと平行にもう１組、穴（７）を設けた軸受（６）を対向して直立させる。この軸受（６）の穴（７）に回転体の支軸（３）を挿入する。
塀の幅が広く、回転体から外れた塀の縁部分を足掛かりに猫が侵入するのが防げ、また隣の挟持体と重なることなく長い塀に本発明品を設置することが出来る。
【図面の簡単な説明】
【００１０】
【図１】  本発明のうち回転体（Ａ）の斜視図
【図２】  本発明のうち挟持体（Ｂ）の斜視図
【図３】  本発明の斜視図
【図４】  本発明の使用斜視図
【図５】  本発明の実施例１の斜視図
【図６】  本発明の実施例２の斜視図
【図７】  本発明の実施例３の斜視図
【符号の説明】
【００１１】  Ａ  回転体
Ｂ  挟持体
１  円筒
２  端面
３  支軸
４  天板
５  足部
６  軸受
７  穴
８  塀
【図１】
2007000128.tif 000003
【図２】
2007000128.tif 000004
【図３】
2007000128.tif 000005
【図４】
2007000128.tif 000006
【図５】
2007000128.tif 000007
【図６】
2007000128.tif 000008
【図７】
2007000128.tif 000009
(57)【要約】【課題】アルコ−ル分を含有しその味と風味を有するこれまでにない種類の氷菓を提供する。【解決手段】ワイン、焼酎、日本酒、リキュ−ル、ウイスキ−などのアルコ−飲料料と各種ジュ−ス、牛乳、豆乳、コ−ヒ−、低アルコ−ル濃度のビ−ルなどの無または低アルコ−ル飲料を混合し、それぞれの組み合わせにより異なるがアルコ−ル濃度を多くの場合５−１０％の間の適当な濃度に調節し攪拌しながら冷却することによりアルコ−ルの味と風味を有するシャ−ベット状のアルコ−ル含有の氷菓を提供することが可能となった。【選択図】    なし【特許請求の範囲】
【請求項１】
１％以上のアルコ−ル分を含む氷菓
【発明の詳細な説明】
【技術分野】
【０００１】アルコ−ル分を含みその味と風味を有しかつ適度なソフトさを有するシャ−ベットやアイスクリ−ム類の氷菓の製造
【背景技術】
【０００２】果物ジュ−スをそのまま凍らせると堅い氷状となりシャ−ベット状にはならず食べ難くなる。これにアルコ−ルを添加すると氷点が下がるがその際アルコ−ルを多めに添加すると固まらなくなり、またアルコ−ル分が少ないと堅くなり過ぎ且つアルコ−ルの味や香りのない従来の無アルコ−ルの氷菓と代わらなくなる。従って成分の組成により多少異なってくるがアルコ−ル分の濃度を適度に調節することによりシャ−ベット状のものが生成しアルコ−ルの風味を感じながらスプ−ンなどで食べやすい氷菓が出来るべく工夫したものである。
【発明の開示】
【発明が解決しようとする課題】
【０００３】従来の氷菓類は一般に甘い物が多くいわゆる甘党向きであり、アルコ−ルを含む辛党向きのものはなかった。本発明はアルコ−ルを含有しその味と風味を有し且つ氷菓としてのソフトさを有するシャ−ベット等の新たな種類の氷菓を提供するものである。
【発明の効果】
【０００４】検討の結果、成分の種類により異なるが多くの場合アルコ−ル濃度が５−１０％の間の然るべき濃度の場合に適度なソフトさとアルコ−ルの味と風味を有するものが得られることを見出し、これまでにない種の氷菓の提供が可能となった。
【発明を実施するための最良の形態】
【０００５】１００％オレンジジュ−ス１容に対して１４％アルコ−ルを含む白ワイン１．３容を混じ攪拌しながら冷却するとシャ−ベット状になる。白ワインの種類として甘口や辛口を選ぶことにより好みの味に調節することができる。
【実施例】
【０００６】アルコ−ル分１４％を有する赤ワイン１容と１００％赤ブドウジュ−ス１容を混合し攪拌しながら冷却する。【０００７】アルコ−ル分２０％を有する焼酎と１００％赤ブドウジュ−スを等量混合し攪拌しながら冷却する。【０００８】アルコ−ル分２０％を有するリキュ−ル１部と１００％赤ブドウジュ−ス２部を混合し攪拌しながら冷却する。【０００９】２０％アルコ−ルを含む焼酎０．８容と１００％オレンジジュ−ス１容を混じ攪拌しながら冷却する。【０００１０】１４％アルコ−ルを含む白ワイン１容と１００％オレンジジュ−ス１容を混じ攪拌しながら冷却する。【０００１１】１５％アルコ−ルを含む日本酒１容と１００％オレンジジュ−ス１容を混じ攪拌しながら冷却する。【０００１２】１４％アルコ−ルを含む白ワイン１容と豆乳１容を混じ攪拌しながら冷却する。【０００１３】１４％アルコ−ルを含む白ワイン０．４容と５％アルコ−ルを含むビ−ル１容を混じ攪拌しながら冷却する。【０００１４】４０％アルコ−ルを含むウイスキ−０．２容と５％アルコ−ルを含むビ−ル１容を混じ攪拌しながら冷却する。【０００１５】２０％アルコ−ルを含む焼酎１容とミルクコ−ヒ−１容を混じ攪拌しながら冷却する。
【産業状の利用可能性】
【０００１６】  アルコ−ルの味と風味を有するこれまでにない新たな種の氷菓の提供が可能となり広く摂取されるようになる可能性がある。
(57)【要約】      （修正有）【課題】植栽物の成長を観るのは実に楽しいものであり、私達の生活に色々と潤いを与えてくれます、一方、根も同じように成長し狭い鉢の中では時が経つにしたがい過密の度合が増してゆき、放置すれば成長も止まり、やがて枯死することになる。このため植替等の必要が生じる。植替が必要な時期になると鉢から引抜くのが大変困難になる、この様な問題を解決するための手段を提供する。【解決手段】植木鉢の側面に開口部をつくり、開口部両側と底部に溝を設けて取り外し可能な仕切り板３を設ける。植え替え時には開口部２を開くことにより、植木鉢からの引き抜きを容易にできる。【選択図】  図２
2007000126.tif 000002
【特許請求の範囲】
【請求項１】
植木鉢の側面に開口部を作り、同型の差込式仕切板を開口部両端と開口部下部に作った溝に差込んで上下動及び抜取りを可能にした植木鉢。
【発明の詳細な説明】
【技術分野】
【０００１】本発明は、側面開口部に仕切板を挿入にておくことにより内部の一部が簡単に露出出来る植木鉢に関するものである。
【背景技術】
【０００２】従来、鉢は根が成長して張り詰めてくると容易に取り出すのが困難であった。
【発明が解決しようとする課題】
【０００３】これは次のような問題があった。
（イ）植替え時に植栽物の根を傷つけまいと最悪のケースは鉢を壊すことも多々あった。
（ロ）鉢の中の根の生長度合いや、土壌の状態などを見ることは出来なかった。
本発明は、これらの難点を除くためになされたものである。
【課題を解決するための手段】
【０００４】植木鉢（１）の側部に開口部（２）を作り、開口部両側と底部に溝を設け取り外し可能な仕切板（３）で内部と外部を遮断する。
本案は以上のような構成により成る植木鉢である。
【発明の効果】
【０００５】本案は以上のような構造でこれを使用する時は、仕切板３上部を引上げると内部の底部が露出することが出来る。
【実施例１】
【０００６】（イ）開口部仕切板３を上に引抜き露出した底部に手または、ヘラ状のものを差込、鉢よりの抜取りを容易にする。
（ロ）露出した土壌の潅水状態の観察が容易。
（ハ）幼木、苗等の発根、育成も観察が容易。
（ニ）根に寄生して虫こぶをつくるネマトーダ等の発見、駆除も容易。
【図面の簡単な説明】
【０００７】
【図１】本発明の平面図である。
【図２】本発明の正面側面図である。
【図３】溝部拡大図である。
【符号の説明】
【０００８】１  鉢本体
２  開口部
３  開口部仕切板
４  鉢底
【図１】
2007000126.tif 000003
【図２】
2007000126.tif 000004
【図３】
2007000126.tif 000005
(57)【要約】【課題】創造性、ゲーム性、パズル性を兼ね備え、多様な遊び方が可能でありながら単純な構成要素から成る遊具の提供。また、構成要素の破損や紛失による不便の解消。【解決手段】幅広い年齢層や、様々な嗜好を持った遊戯者に合わせて活用できるように、図１に示す４種類の要素片をおのおの複数用意し、そのなから適宜要素片を選び出し、遊戯者自身が自由に定めたルールに従って正面図が上面になるように平面上に配置することが可能な遊具を提供する。【選択図】図１
2007000473.tif 000002
【特許請求の範囲】
【請求項１】
図１で示した４種類の形状を持つ複数の要素片を一組とし、その中から、遊戯者自身が自由に設定するルールに従い適宜要素片を選び平面上に配置し、様々な紋様を創作したり、目標図形を完成させたり、複数の遊戯者が勝敗を争ったりするなど、多様な遊び方が可能な組合せ遊具。
【請求項２】
「請求項１」で提供される多用途な組合せ遊具を、ゲーム機やパソコンなど電子機器上でシミュレーションするソフトウェアー。
【発明の詳細な説明】
【技術分野】
【０００１】
本発明は遊戯者の自由な創造性を育む多用途な組合せ遊具に関するものである。
【背景技術】
【０００２】
要素片を組み合わせる遊具としては、ケースに収められた要素片の組を一旦ケースから出し納め直すタイプの物や、形状の異なる多数の要素片を用い目標の形状や図柄を完成させるタイプの物などがあり、これらの遊具は、その提供者が定めたルールに従い一つの目標の完成を目指すパズルとしての性格が強い物である。
【０００３】
また従来のこの種の遊具では、提供された要素片が破損したり紛失したりした場合、目標を完成できなくなってしまう不便がある。
【０００４】
一方積み木に代表される組合せ遊具では、特に定められた完成すべき目標はなく、遊戯者が自由な発想で創造性を発揮することができ、また要素片の破損や紛失による影響が少ない反面、ゲーム性やパズル的な要素は乏しい。
【非特許文献１】相沢康夫著  「おもちゃの王様」ＰＨＰ研究所  ２００３年
【発明の開示】
【発明が解決しようとする課題】
【０００５】
創造性、ゲーム性、パズル性を兼ね備え、多様な遊び方が可能でありながら単純な構成要素から成る遊具の提供。また、構成要素の破損や紛失による不便の解消。
【課題を解決するための手段】
【０００６】
代表的なフラクタル図形であるコッホ曲線の定義手順を応用した図形を用い、それを正面図とする図１に示す４種類の要素片を作成する。
【０００７】
コッホ曲線とは次のように定義される。まず、与えられた線分を３当分し、その中央の線分を底辺とする正三角形を描き、その底辺を消去する（１次変形）。次に新しくできた図形の各辺について同様に変形する（２次変形）。この操作を無限回繰り返してできる曲線をコッホ曲線という。
【０００８】
本発明ではコッホ曲線定義手順の２次変形までを用い、４種類の要素片の正面図を定義する。まず基本図形として、辺の長さが９の正三角形を用い、これをＴ０と名付ける。同様に辺の長さが３の正六角形を用い、これをＨ０と名付ける。Ｔ０の３辺について、コッホ曲線の定義手順に従い１次変形を施す。ただし、このとき３辺のうち２辺は三角形の外側に向かって描き、残りの１辺は内側に向かって描く。この図形をＴ１と名付ける。Ｔ１について２次変形を施し描いた図形をＴ２と名付ける。また、Ｈ０の各６辺全てについて六角形の内側に向い１次変形を施した図形を描き、これをＨ１と名付ける。これらの図形定義過程を図２に示す。
【０００９】
これらの図形のうち、Ｔ１、Ｔ２、Ｈ０、Ｈ１の４図形を正面図とする４種類の要素片が図１である。４種の要素片おのおのについて複数枚用意し（枚数に制限はない）その中から適宜図形を選び、正面図を上面にするように組合せ配置することにより様々な紋様を創作できる遊具を提供する。
【発明の効果】
【００１０】
本発明は従来の同種のゲームやパズル類と比較して、要素片の種類が４種と少ない反面、要素片の総数には上限がないのが特徴である。また要素片の独特な形状により、少ない種類の要素片の組合せでありながら、そのパターンは多様である。これらの特徴と、遊戯者自身が自由に定めるルール設定によって遊び方に変化を付けることが可能となり、幾何学紋様の創作、対戦型ゲーム、組合せパズルなど様々な遊びを提供できる。
【００１１】
また、本発明は構成要素が単純であり、要素片の補充が容易であるので、遊びの規模を大きくしたり、また破損や紛失による影響を少なくすることもできる。
【実施例１】
【００１２】
図３は、要素片Ｔ２、Ｈ１を用いた基本的組合せパターンの例である。
【実施例２】
【００１３】
図４は、要素片Ｔ１、Ｈ０を用いた基本的組合せパターンの例である。
【実施例３】
【００１４】
図５は、要素片Ｔ２、Ｈ１を用いた繰り返し組合せパターンの例である。
【実施例４】
【００１５】
図６は、要素片Ｔ２、Ｈ１を用いた大規模組合せパターンの例である。
【実施例５】
【００１６】
図７は、要素片Ｔ１、Ｈ０を用いた繰り返し組合せパターンの例である。
【産業上の利用可能性】
【００１７】
本発明は、幅広い年齢層や様々な嗜好を持つ遊戯者に合わせて自由なルール設定による利用方法を選ぶことが可能であり、従って幼児向け知育玩具としての活用から、様々な障害を持つ人たちのリハビリ用ツールとしての活用も可能である。また、幾何学的紋様のデザインツールとしての利用も可能で、衣料品、室内装飾、建築資材等のデザイン創作にも活用できる。
【図面の簡単な説明】
【００１８】
【図１】各要素片の正面図、右側面図、平面図、底面図である。右側面図に対称の左側面図、及び平面図に対称となる底面図は省略した。
【図２】各要素片の形状を定義する手順を示した説明図である。
【図３】要素片Ｔ２、Ｈ１を用いた基本組合せ例である。（実施例１）
【図４】要素片Ｔ１、Ｈ０を用いた基本組合せ例である。（実施例２）
【図５】要素片Ｔ２、Ｈ１を用いた応用組合せ例である。（実施例３）
【図６】要素片Ｔ２、Ｈ１を用いた応用組合せ例である。（実施例４）
【図７】要素片Ｔ１、Ｈ０を用いた応用組合せ例である。（実施例５）
【符号の説明】
【００１９】
Ｔ０    要素片の形状を定義する手順を説明するために図形に付けた名称。
Ｔ１    要素片の形状を定義する手順を説明するために図形に付けた名称。
Ｔ２    要素片の形状を定義する手順を説明するために図形に付けた名称。
Ｈ０    要素片の形状を定義する手順を説明するために図形に付けた名称。
Ｈ１    要素片の形状を定義する手順を説明するために図形に付けた名称。
【図１】
2007000473.tif 000003
【図２】
2007000473.tif 000004
【図３】
2007000473.tif 000005
【図４】
2007000473.tif 000006
【図５】
2007000473.tif 000007
【図６】
2007000473.tif 000008
【図７】
2007000473.tif 000009
(57)【要約】【課題】後身頃に補助布をつけた肩がこらないエプロンを提供する。【解決手段】各々の肩線や袖ぐり線を含む後身頃の背中の辺りに、一端にひもを各々接続させた二つの補助布を接続させ、ひもが伸縮するような構成の結び方をすることを特徴とする肩がこらないエプロン。【選択図】図１
2007131987.tif 000002
【特許請求の範囲】
【請求項１】
左右の後身頃（２）（３）の各々の肩線（４）（５）と袖ぐり線（６）（７）に跨るように、あるいは肩線（４）（５）、あるいは袖ぐり線（６）（７）に、一端にひも（８）（９）を接続させた補助布（１０）（１１）の他端を接続し、補助布（１０）（１１）の両脇を後身頃に各々接続することを特徴とする肩がこらないエプロン。
【発明の詳細な説明】
【技術分野】
【０００１】  本発明は、後身頃にひもを接続させた補助布を設けて、長時間の着用でも肩がこらないように工夫した着脱簡単で、肩がこらないエプロンに関するものである。
【背景技術】
【０００２】  従来、胸当て上部に２本の肩ひもを、前垂れ上部両端に２本の腰ひもを各々接続し、肩ひもを背中で交差させた後、前垂れ上部両端にボタンで留めた後、腰ひもを結ぶエプロンがあった。
又、胸当て上部に２本の肩ひもを接続させた後  、各々のひもを交差させないで、２本のひもの間に短いひもを橋渡しするように接続させた後、前垂れ上部両端に接続させ、前垂れ上部両端に設けられたボタンとボタンホールで胴回りをとめるエプロンもあった。
【発明の開示】
【発明が解決しようとする課題】
【０００３】  そのために、次のような問題点があった。
（イ）家事は、しゃがんだり、前かがみの姿勢になることがとても多いが、２本の肩ひもが後胴回りに固定されている構成のエプロンが多いため、長時間の使用では、ひもがつれ、肩力が引っ張られ、肩がこることがあった。
（ロ）着脱する時、手間がかかる事もあった。
本発明は、これらの問題点を解決するためになされたものである。
【課題を解決するための手段】
【０００４】  左右の後身頃（２）（３）の各々の肩線（４）（５）と袖ぐり線（６）（７）に跨るように、又は肩線と袖ぐり線の交点（１２）（１３）を含む肩線（４）（５）、又は肩線と袖ぐり線の交点（１２）（１３）を含む袖ぐり線（６）（７）に一端に若干伸縮する素材のひもを接続させた補助布（１０）（１１）の他端を各々接続させ、補助布（１０）（１１）の両脇を各々後身頃に接続する。以上を特徴とする肩がこらないエプロンである。
【発明の効果】
【０００５】  ２本のひもは図６に示すように、ひもと補助布の接続点（１４）と結び目（２０）、ひもと補助布の接続点（１５）と結び目（２０）の各々２箇所にのみ固定され、その間は胴をらせん状に巻いてい、しゃがむなどして背中が伸びると腹側が縮み、それに連れひもも伸縮し、上体を起こすと、ほぼ元に戻るという構成と、ひも自体に伸縮素材を用いた事とが相まって充分伸縮するので肩ひもがつれず、肩が引っ張られず、肩がこらない。
その上、図１、図８、図９に示すように、この結び方により多くの体型にフィットし、着脱簡単で、作り方も難しくない。
【発明を実施するための最良の形態】
【０００６】  以下、本発明の実施の形態について説明する。
（イ）張りのある布地を用いたエプロンの後身頃（２）（３）に、型崩れ防止と補強のため、肩線と袖ぐり線の交点（１２）（１３）とひもと補助布の接続点（１４）（１５）とを各々結ぶ線とほぼ平行に各々布目を通すようにして裁断され作られた、一端に若干伸縮するひも（８）（９）を接続させた２枚の補助布（１０）（１１）の他端を、各々肩線（４）（５）と袖ぐり線（６）（７）に跨るように、あるいは肩線と袖ぐり線の交点（１２）（１３）を含む肩線、又は、肩線と袖ぐり線の交点（１２）（１３）を含む袖ぐり線に各々接続させ、補助布の両脇は、図７に示すようにひもと補助布の接続点（１４）（１５）の辺りに若干の遊びをもたせて、後身頃の背中の辺りに接続する。
（ロ）２本のひもを後手で掴みやすくするために、補助布（１０）（１１）は各々後身頃の縁（１６）（１７）よりも若干脇線（１８）（１９）寄りに控えて設ける。
本発明は以上のような構成で、これを使用するときは、肩に両腕を通した後、後手で２本のひも（８）（９）を各々掴み交差させ、前に回して交差させ、再び後に回して結んだり、後手で２本のひもを各々掴みこうささせた後、前又は左右の脇に回して結ぶ。
【実施例１】
【０００７】  図１０に示すように、２本の花をあしらい、ひもを茎に見立て、胴に巻くような意匠にしたいときは、補助布（１０）（１１）は目立たないように後ろ身頃の裏面に設けると、花が一層浮き出て美しく見える。
【図面の簡単な説明】
【０００８】
【図１】  本発明の着用後姿図
【図２】  本発明の着用前姿図
【図３】  本発明の着用横姿図
【図４】  本発明の正面図
【図５】  本発明の背面図
【図６】  本発明のひも結び構成説明図
【図７】  本発明のひも接続部分の遊び拡大説明図
【図８】  Ｓサイズの人の着用後姿図
【図９】  Ｌサイズの人の着用後姿図
【図１０】  実施例１の説明図
【符号の説明】
【０００９】  １  前身ごろ
２  後身頃
３  後身頃
４  肩線
５  肩線
６  袖ぐり線
７  袖ぐり線
８  ひも
９  ひも
１０  補助布
１１  補助布
１２  肩線と袖ぐり線の交点
１３  肩線と袖ぐり線の交点
１４  ひもと補助布の接続点
１５  ひもと補助布の接続点
１６  後身頃の縁
１７  後身頃の縁
１８  脇線
１９  脇線
２０  ひもの結び目
【図１】
2007131987.tif 000003
【図２】
2007131987.tif 000004
【図３】
2007131987.tif 000005
【図４】
2007131987.tif 000006
【図５】
2007131987.tif 000007
【図６】
2007131987.tif 000008
【図７】
2007131987.tif 000009
【図８】
2007131987.tif 000010
【図９】
2007131987.tif 000011
【図１０】
2007131987.tif 000012
(57)【要約】【課題】現場作業時の、顔の防護や保湿を可能とする。【解決手段】作業用ヘルメット６の後頭部バンド７にフェイスガード１を、マジックテープ（登録商標）4とマジックテープ（登録商標）５で包むように装着することで、フェイスガードを作業用ヘルメットへ容易に装着でき、作業用ヘルメットを着脱する際の妨げにならず、顔の防護や保湿ができる。又、マジックテープ（登録商標）２とマジックテープ（登録商標）３を着脱することで、顔前面部の開閉が容易にできる。【選択図】図2
2007131997.tif 000002
【特許請求の範囲】
【請求項１】
作業用ヘルメットの後部ベルトに、マジックテープ（登録商標）で装着する現場作業用フェイスガード。
【請求項２】
顔の前面部をマジックテープ（登録商標）で止め、簡単に顔を覆うことの出来る現場作業用フェイスガード。
【発明の詳細な説明】
【技術分野】
【０００１】
本発明は、作業用ヘルメットへの装着が容易で、顔の防護が出来る現場作業用フェイスガードに関するものである。
【背景技術】
【０００２】
従来のマスクや耳あてでは顔の防護が出来ず、タオルやマフラーでは防護は出来るが、ヘルメットを着脱する際、手間が掛かり不便である。
【発明の開示】
【発明が解決しようとする課題】
【０００３】
従来のヘルメットは、顔部分が露出しているため、飛来物や針金などにより顔を負傷することが多く、冬場の作業では一日中外にいる為顔部分が乾燥し、鼻の下や耳の下が切れてしまい困っていた。
【課題を解決するための手段】
【０００４】
本発明は、作業用ヘルメットに予め、布製の現場作業用フェイスガードを装着しておき、ヘルメットをかぶった後に現場作業用フェイスガードの左右を、顔の前面部でとめることで、目から下の顔を覆うことが出来る。それを図面で説明すると、作業用ヘルメット６の後頭部バンド７に現場作業用フェイスガード１を、マジックテープ（登録商標）4とマジックテープ（登録商標）５で包むように装着し、マジックテープ（登録商標）２とマジックテープ（登録商標）３の着脱により、顔の前面部で開閉を可能にしたものである。
【発明の効果】
【０００５】
このようにすれば、現場作業用フェイスガードを作業用ヘルメットへ容易に装着でき、作業用ヘルメットを着脱する際の妨げにならず、顔の防護や保湿が可能になる。
【発明を実施するための最良の形態】
【０００６】
従来の作業用ヘルメットは、顔の防護や保湿が出来ず、冬場の作業時にはタオルを代用し防護や保湿を行っていた。本発明では、作業用ヘルメット６の後頭部バンド７にフェイスガード１を、マジックテープ（登録商標）4とマジックテープ（登録商標）５で簡単に装着でき、タオルを使用する時の煩わしさを解消した。又、マジックテープ（登録商標）２とマジックテープ（登録商標）３の着脱により、顔の前面部で開閉を可能にし、食事や喫煙が手軽に出来るようにしたものである。  
【図面の簡単な説明】
【０００７】
【図１】現場作業用フェイスガードの展開図である。
【図２】現場作業用フェイスガードを作業用ヘルメットに装着した図である。
【図３】現場作業用フェイスガードを装着した作業用ヘルメットを着用した図である。
【符号の説明】
【０００８】
１  現場作業用フェイスガード
２  マジックテープ（登録商標）
３  マジックテープ（登録商標）
４  マジックテープ（登録商標）
５  マジックテープ（登録商標）
６  作業用ヘルメット
７  後頭部バンド
【図１】
2007131997.tif 000003
【図２】
2007131997.tif 000004
【図３】
2007131997.tif 000005